(57)【特許請求の範囲】
【請求項１】
軟質な合成樹脂シートによって空気室を有する袋状に形成され、この空気室内にラメ体を収納するようにした、浮き輪、枕、あるいはベッド等の空気袋内に空気を注入するために使用される空気栓であって、
空気穴を閉じる栓体を一体的に有した可撓性支持部を備えて、前記合成樹脂シートの表面に溶着される取付基部と、この取付基部の裏面に一体化されて、前記空気穴からの空気の前記空気袋内への出入を可能にする多数の通気孔を有した収納部と、この収納部の側壁の一部を内方へ突出させることにより形成した係止部と、この係止部より内側の前記収納部内に収納されるスポンジ体とを備えたものとして、
前記栓体を閉じたときに、前記係止部により前記スポンジ体を小さく押圧できようにするとともに、前記空気袋内の空気を抜くときに、前記スポンジ体によって前記ラメ体を漉し取るようにしたことを特徴とする空気栓。
【発明の詳細な説明】
【０００１】
【発明の属する技術分野】
本発明は、軟質な合成樹脂シートによって形成された浮き輪等の空気袋内に空気を注入するための空気栓に関するものである。
【０００２】
【従来の技術】
空気袋２０は、例えば図１に示すような浮きマットや、浮き輪、空気枕等といったものに形成されるものであり、図２にも示すように、合成樹脂シート２１によって空気室２２を構成して使用されるものである。勿論、この空気袋２０に対しては、本発明が対象としている空気栓が使用され、この空気栓から空気室２２内に空気を注入し、使用後にあっては、この空気栓から空気を抜いてその縮小化が図られる便利なものである。
【０００３】
ところで、この種の空気袋２０においては、その空気室２２内に鈴を入れて動かしたときに生ずる音を楽しんだり、合成樹脂シート２１を透明あるいは半透明として、空気室２２内に種々な着色を施したビーズ等を入れて、デザイン的にも優れたものとすることがなされてきている。このようなビーズ等を空気室２２内に入れた場合、空気栓から空気を抜くときに、このビーズ等が空気と一緒に出てきてしまうおそれがあるが、それを解消しようとする目的で、例えば、登録実用新案第３０１７８４８号公報にて「風船状おもちゃ」が提案されている。
【０００４】
この登録実用新案第３０１７８４８号公報にて提案されている「風船状おもちゃ」は、図４に示したような構成を有するものであり、空気室２２の中に入れた「粒状体」が内部「キャップ」の「通気孔」から外に出ないようにするものであり、これはこれでその目的を達成することが十分できるものである。
【０００５】
しかしながら、図４に示した従来の空気袋２０では、次のようなことに対応できなくなってきている。つまり、近年に至って、例えば透明な合成樹脂シート２１によって形成した空気室２２内に非常に小さいラメ体２３を入れて、このラメ体２３が七色で輝くことにより、空気袋２０全体の意匠的美しさを増大させることがなされてきているが、図４に示したような通気孔から簡単に外に飛び出してしまうだけでなく、この通気孔を目詰まりさせてしまうこともあったのである。
【０００６】
このラメ体２３は、砂粒程度以下の大きさの平板状のもので、「雲母」のように見る方向によって反射する光の波長が異なるものである。つまり、このラメ体２３を透明な合成樹脂シート２１によって形成した空気袋２０内にたくさん入れたとき、当該空気袋２０が太陽光によって七色に輝くといった効果を発揮するものであるが、このラメ体２３が外に出てしまえば、このような効果が薄れてしまうのである。
【０００７】
そこで、本発明者は、このような小さなラメ体２３が空気袋２０の外に飛び出したり、通気孔の目詰まりを発生させたりしないようにするにはどうしたらよいか、について種々検討を重ねてきた結果、本発明を完成したのである。
【０００８】
【発明が解決しようとする課題】
本発明は、この種の空気袋２０における上記問題に鑑みてなされたもので、その解決しようとする課題は、小さなラメ体２３が空気袋２０外に飛び出さず、空気が通る穴の目詰まりも生じさせないようにすることのできる空気栓１０を、簡単な構成によって提供することにある。
【０００９】
【課題を解決するための手段】
以上の課題を解決するために、本発明の採った手段は、後述する実施の形態の説明中において使用する符号を付して説明すると、
「軟質な合成樹脂シート２１によって空気室２２を有する袋状に形成され、この空気室２２内にラメ体２３を収納するようにした、浮き輪、枕、あるいはベッド等の空気袋２０内に空気を注入するために使用される空気栓１０であって、
空気穴１２を閉じる栓体１３を一体的に有した可撓性支持部１１ａを備えて、合成樹脂シート２１の表面に溶着される取付基部１１と、この取付基部１１の裏面に一体化されて、前記空気穴からの空気の前記空気袋内への出入を可能にする多数の通気孔１５を有した収納部１４と、この収納部１４の側壁の一部を内方へ突出させることにより形成した係止部１６と、この係止部１６より内側の収納部１４内に収納されるスポンジ体１７とを備えたものとして、
栓体１３を閉じたときに、係止部１６によりスポンジ体１７を小さく押圧できようにするとともに、空気
袋２０内の空気を抜くときに、スポンジ体１７によってラメ体２３を漉し取るようにしたことを特徴とする空気栓１０」
である。
【００１０】
すなわち、本発明に係る空気栓１０は、基本的には、従来技術である図４に示した空気栓と同様であるが、根本的に異なる点は、図４に示したキャップを収納部１４として、この収納部１４内にスポンジ体１７を収納したことである。このスポンジ体１７は、三次元網目構造の通気路を有しているものであり、この通気路は、空気袋２０内に入れたラメ体２３を通さない小さな穴となっている。また、このスポンジ体１７は、非常に柔軟なものであって、図３に示すように、栓体１３を空気袋２０側に押し込んだとき、空気穴１２を構成している下端部の押圧力によって小さくされるものである。
【００１１】
この三次元網目構造の通気路を有するスポンジ体１７が当該空気栓１０内に存在することによって、図２に示すように、空気穴１２から空気袋２０内への空気の注入が行えることは当然として、当該空気袋２０の空気室２２内の空気を抜くときには、内に入れてあって収納部１４の通気孔１５から外に出ようとするラメ体２３が、その図示下面にて漉し取られることになるのである。これにより、空気袋２０のの空気室２２内に入れてある光輝く小さなラメ体２３は、空気袋２０内に閉じこめられたままとされるのである。
【００１２】
また、このスポンジ体１７は、これを収納している収納部１４に設けた係止部１６によって、その図２に示した位置に保持されている。このため、当該スポンジ体１７の下面が通気孔１５を有する収納部１４の下面に常に当接していて、前述したラメ体２３の漉し取り作用を確実に行うようにしている。また、空気穴１２を押し込んだときに、図３に示すように、このスポンジ体１７が常に上面にて押し潰されることになり、空気穴１２が外されたときのスポンジ体１７の復元を確実に行えるようにしているのである。
【００１３】
従って、この空気栓１０は、小さなラメ体２３が空気袋２０外に飛び出さず、空気が通る穴の目詰まりも生じさせないようにすることができて、空気袋２０の空気室２２内に入れたラメ体２３の消失が確実に防止されるのである。
【００１４】
【発明の実施の形態】
次に、以上のように構成した本発明を、図面に示した実施の形態である空気栓１０について説明すると、図１には、当該空気栓１０が採用されるマット状の空気袋２０が示してある。この空気袋２０は、透明あるいは半透明の合成樹脂シート２１によって、空気栓１０から空気が注入されることになる空気室２２を有しているものであり、この空気室２２内には、図２に示したように、反射光が見る方向によって七色に変化する多数の小さなラメ体２３が入れてある。
【００１５】
空気栓１０は、その取付基部１１によって合成樹脂シート２１の一部に溶着されるものであり、この可撓性支持部１１ａの上端側に一体成形した空気穴１２と、この空気穴１２に連結部１２ａを介して連結した栓体１３とを備えているものである。栓体１３は、図３に示したように、空気穴１２内に挿入されることにより空気穴１２を閉じるものであり、これらの空気穴１２及び栓体１３は、可撓性支持部１１ａによって取付基部１１側に連結されたまま、後述する収納部１４内に押し込まれ、合成樹脂シート２１の表面から突出しないようになされるものである。
【００１６】
以上の空気穴１２及び栓体１３が一体化されている取付基部１１の裏面には、図２及び図３に示したように、収納部１４がその取付部１４ａにて一体化してある。この収納部１４は、栓体１３を挿入した空気穴１２と、後述するスポンジ体１７とを収納できる程度の収納空間を有するもので、その底壁には空気を通すための通気孔１５が複数形成してある。また、この収納部１４の側壁には、当該収納部１４を型成形する際に同時に成形するか、あるいは筒状に成形した収納部１４に後に押し込み熱加工される係止部１６が形成してある。
【００１７】
収納部１４内の各係止部１６の下側には、図２及び図３に示したように、スポンジ体１７が収納してある。このスポンジ体１７は、合成樹脂を一定の率で発泡させた文字通り「スポンジ」状のものであり、空気を十分通す三次元網目構造の通気路を内部に多数有したものである。また、このスポンジ体１７は、その直径が収納部１４の内径と略同じ程度にしてあり、高さも収納部１４の底面と各係止部１６との間の寸法と同じにしてあって、収納部１４内の係止部１６以下の部分になるべく隙間なく収納したものである。
【００１８】
このスポンジ体１７の収納部１４内への収納は、収納部１４を取付基部１１に溶着する前に行われることは当然であり、収納部１４内に突出している係止部１６上から押し込めば、このスポンジ体１７は変形して各係止部１６の下側に押し込まれるものである。また、このスポンジ体１７が簡単に変形し得るものであることから、図３に示したように、空気穴１２の収納部１４内への押し込みが簡単になされ、図２に示した原型への復帰も確実になされるのである。
【００１９】
【発明の効果】
以上、詳述した通り、本発明においては、上記実施の形態にて例示した如く、
「軟質な合成樹脂シート２１によって空気室２２を有する袋状に形成され、この空気室２２内にラメ体２３を収納するようにした、浮き輪、枕、あるいはベッド等の空気袋２０内に空気を注入するために使用される空気栓１０であって、
空気穴１２を閉じる栓体１３を一体的に有した可撓性支持部１１ａを備えて、合成樹脂シート２１の表面に溶着される取付基部１１と、この取付基部１１の裏面に一体化されて、前記空気穴からの空気の前記空気袋内への出入を可能にする多数の通気孔１５を有した収納部１４と、この収納部１４の側壁の一部を内方へ突出させることにより形成した係止部１６と、この係止部１６より内側の収納部１４内に収納されるスポンジ体１７とを備えたものとして、
栓体１３を閉じたときに、係止部１６によりスポンジ体１７を小さく押圧できようにするとともに、空気袋２０内の空気を抜くときに、スポンジ体１７によってラメ体２３を漉し取るようにしたこと」
にその構成上の特徴があり、これにより、小さなラメ体２３が空気袋２０外に飛び出さず、空気が通る穴の目詰まりも生じさせないようにすることのできる空気栓１０を、簡単な構成によって提供することができるのである。
【図面の簡単な説明】
【図１】本発明に係る空気栓を適用した空気袋の斜視図である。
【図２】本発明に係る空気栓の、空気穴から空気袋内に空気を注入している状態を示す、図１中の１−１線にそって見た拡大断面図である。
【図３】同空気栓の、空気穴を収納部内に押し込んだ状態の拡大断面図である。
【図４】従来の空気栓を示す拡大断面図である。
【符号の説明】
１０    空気栓
１１    取付基部
１１ａ  可撓性支持部
１２    空気穴
１２ａ  連結部
１３    栓体
１４    収納部
１４ａ  取付部
１５    通気孔
１６    係止部
１７    スポンジ体
２０    空気袋
２１    合成樹脂シート
２２    空気室
２３    ラメ体
【図１】
0003564545.tif 000002
【図２】
0003564545.tif 000003
【図３】
0003564545.tif 000004
【図４】
0003564545.tif 000005